(57)【要約】      （修正有）【課題】配管支持における作業性・作業コスト、配管の抱持支持力が良好であり、しかも低コストで製造可能な配管支持具を提供する。【解決手段】取付面に沿って配管を抱持固定する配管支持具１において、可撓性を有する一枚の板状の金属板から成り、配管軸に直交する方向の一方の端部から他方の端部に向けて該板状材の途中位置まで平行の１本の切込み部により２枚の櫛歯状部を有する櫛状に形成され、第１櫛歯状部１１が切り起こされて配管抱持部２１と成り、第２櫛歯状部１２の一方の端部が折り曲げられて立設部分１２Ｄと成り、この立設部分と配管抱持部との間に小径配管・配線収納支持部２２が形成され、櫛歯元部１０が取付面に取付固定される構成であり、配管抱持部と第２櫛歯状部との間に配管が挿通されて挟着された状態で抱持支持される構成である。【選択図】図１
2020193684.tif 000002
【特許請求の範囲】
【請求項１】
天井面・壁面・床面の如き取付面に沿って１本又は２本以上の配管を抱持固定する配管支持具において、
配管支持具を構成する板状材が可撓性を有する一枚の金属板から成り、配管軸に直交する方向の一方の端部から他方の端部に向けて該板状材の途中位置まで平行の１本の切込み部により２枚の櫛歯状部を有する櫛状に形成され、
前記１本の切込み部で分けられた一方側部分である第１櫛歯状部が、円弧状、半円状、Ω状又はアーチ状のいずれかに切り起こされて１つ又は２つ以上の配管抱持部と成り、
前記１本の切込み部で分けられた他方側部分である第２櫛歯状部の一方の端部が立設状態に折り曲げられ、この立設部分と前記配管抱持部との間に生じる空間である小径配管・配線収納支持部に小径配管や配線類が収納支持される構成であり、
前記板状材の他方の端部側の切込み部の無い部分である櫛歯元部が前記取付面に取付固定される構成であり、
配管軸方向から見て、前記配管抱持部と第２櫛歯状部との間に配管が挿通されて該配管抱持部と第２櫛歯状部との間に配管が挟着された状態で抱持支持される構成であること、
を特徴とする配管支持具。
【請求項２】
第２櫛歯状部の立設部分が取付面に沿う第２櫛歯状部に対して略直角ないしは僅かに鋭角に折り曲げられた構成であることを特徴とする請求項１に記載の配管支持具。
【請求項３】
第２櫛歯状部の立設部分が櫛歯元部方向に彎曲して折り曲げられた構成であることを特徴とする請求項１又は２に記載の配管支持具。
【請求項４】
第２櫛歯状部の立設部分の途中部分から先が櫛歯元部方向に更に折り曲げられた構成であることを特徴とする請求項１〜３のいずれかに記載の配管支持具。
【請求項５】
前記櫛歯元部に透孔が形成されており、該透孔にボルトの如き固定部材が挿通されて前記取付面に取り付けられる構成であることを特徴とする請求項１〜４のいずれかに記載の配管支持具。
【請求項６】
１つの配管抱持部に２本以上の配管を抱持する構成であることを特徴とする請求項１〜５のいずれかに記載の配管支持具。
【請求項７】
前記配管抱持部による配管の抱持範囲が、抱持する配管の半径を超える範囲であることを特徴とする請求項１〜６のいずれかに記載の配管支持具。
【請求項８】
前記第２櫛歯状部の少なくとも一部に隆起部が形成され、該隆起部が配管抱持部に抱持する配管の外周面であって且つ前記一方の端部側の少なくとも一部に当接可能な構成であること特徴とする請求項１〜７のいずれかに記載の配管支持具。
【発明の詳細な説明】
【技術分野】
【０００１】
本発明は配管支持具に関し、詳しくは天井面・壁面・床面の如き取付面に沿って１本又は２本以上の配管を抱持支持する配管支持具に関する。
【背景技術】
【０００２】
建物等の設備工事において、１本又は２本以上のガス管・給水管・給湯管・回線保護管等の配管類を、天井面・壁面・床面等の取付面に沿って固定する配管支持具としては、配管を抱持する配管抱持部と、取付面に取付固定される取付ベース部と、から成る配管支持具が種々提案されている（例えば、特許文献１及び２等参照。）。
【０００３】
特許文献１に示す技術は、取付面に取付固定される長板状の取付ベース部の上面に、樹脂製の逆Ω字状のサドルバンドを複数取り付け、このサドルバンドに配管を抱持させることによって配管を支持する構成（図１及び図２）、又は、前記取付ベース部の上面に複数本の配管を並列状態で配列させた後に長尺帯状のベルト体をこの複数本の配管の上面を架け渡して該ベルト体の端部と配管間の途中部分を前記取付けベース部に固定することによって配管を支持する構成（図３及び図４）である。
【０００４】
特許文献２に示す技術では、取付面に取付固定される長板状の取付ベース部の上面に複数本の配管を並列状態で配列させた状態で金属製の抱持板を前記配管の外周面に当接させた状態で巻き回して前記取付ベース部に固着することによって配管を支持する構成である。
【先行技術文献】
【特許文献】
【０００５】
【特許文献１】特開２００５−２５６９４５号
【特許文献２】実用新案登録第２５１６７０７号
【発明の概要】
【発明が解決しようとする課題】
【０００６】
特許文献１に示す技術の内、複数個のサドルバンドを取り付ける構成によれば、取付面に複数本の配管を並列状態で支持固定する場合、サドルバンドという取付面に直接取付固定できる配管支持具を取付ベース部に取り付ける工程という余計な工程が必要であるため作業工程・作業時間の短縮化が困難であるという問題点を有し、また、長尺帯状のベルト体を架け渡す構成によれば、配管の振動や経年劣化によってベルト体の一部に損傷・破損・分断・断裂等が生じると当該箇所の配管だけでなく前記ベルト体が抱持する全ての配管の支持固定に弛みや脱落が生じてしまうという問題点を有している。従って、配管支持における作業性・作業コストの点、配管の抱持支持力の点のいずれにおいても不都合を有している。
【０００７】
特許文献２に示す技術によれば、抱持板を配管の外周に当接させた状態で巻き回すと共に取付ベース部に固着する加工を現場にて行う必要があるため加工作業が煩雑であるだけでなく、配管の外周面に当接した状態で抱持することができる巻き回し加工は熟練を要する作業であり、作業効率が著しく低いという問題点を有している。従って、配管支持における作業性・作業コストの点、配管の抱持支持力の点のいずれにおいても不都合を有している。
【０００８】
そこで本発明の課題は、配管支持における作業性・作業コスト、配管の抱持支持力が良好であり、しかも低コストで製造可能な配管支持具を提供することにある。
【課題を解決するための手段】
【０００９】
上記課題を解決する本発明は下記構成を有する。
【００１０】
１．天井面・壁面・床面の如き取付面に沿って１本又は２本以上の配管を抱持固定する配管支持具において、
配管支持具を構成する板状材が可撓性を有する一枚の金属板から成り、配管軸に直交する方向の一方の端部から他方の端部に向けて該板状材の途中位置まで平行の１本の切込み部により２枚の櫛歯状部を有する櫛状に形成され、
前記１本の切込み部で分けられた一方側部分である第１櫛歯状部が、円弧状、半円状、Ω状又はアーチ状のいずれかに切り起こされて１つ又は２つ以上の配管抱持部と成り、
前記１本の切込み部で分けられた他方側部分である第２櫛歯状部の一方の端部が立設状態に折り曲げられ、この立設部分と前記配管抱持部との間に生じる空間である小径配管・配線収納支持部に小径配管や配線類が収納支持される構成であり、
前記板状材の他方の端部側の切込み部の無い部分である櫛歯元部が前記取付面に取付固定される構成であり、
配管軸方向から見て、前記配管抱持部と第２櫛歯状部との間に配管が挿通されて該配管抱持部と第２櫛歯状部との間に配管が挟着された状態で抱持支持される構成であること、
を特徴とする配管支持具。
【００１１】
２．第２櫛歯状部の立設部分が取付面に沿う第２櫛歯状部に対して略直角ないしは僅かに鋭角に折り曲げられた構成であることを特徴とする上記１に記載の配管支持具。
【００１２】
３．第２櫛歯状部の立設部分が櫛歯元部方向に彎曲して折り曲げられた構成であることを特徴とする上記１又は２に記載の配管支持具。
【００１３】
４．第２櫛歯状部の立設部分の途中部分から先が櫛歯元部方向に更に折り曲げられた構成であることを特徴とする上記１〜３のいずれかに記載の配管支持具。
【００１４】
５．前記櫛歯元部に透孔が形成されており、該透孔にボルトの如き固定部材が挿通されて前記取付面に取り付けられる構成であることを特徴とする上記１〜４のいずれかに記載の配管支持具。
【００１５】
６．１つの配管抱持部に２本以上の配管を抱持する構成であることを特徴とする上記１〜５のいずれかに記載の配管支持具。
【００１６】
７．前記配管抱持部による配管の抱持範囲が、抱持する配管の半径を超える範囲であることを特徴とする上記１〜６のいずれかに記載の配管支持具。
【００１７】
８．前記第２櫛歯状部の少なくとも一部に隆起部が形成され、該隆起部が配管抱持部に抱持する配管の外周面であって且つ前記一方の端部側の少なくとも一部に当接可能な構成であること特徴とする上記１〜７のいずれかに記載の配管支持具。
【発明の効果】
【００１８】
請求項１に示す発明によれば、配管支持における作業性・作業コスト、配管の抱持支持力が良好であり、しかも低コストで製造可能な配管支持具を提供することができる。
【００１９】
特に、一枚の金属板を切起し加工と折曲加工して形成された構成のため低コストにより製造することができ、しかも可撓性を有する金属板を用いているため、配管抱持部の撓み性によって該配管抱持部と第２櫛歯状部との間に抱持した配管が挟着された状態になるので、挿通された配管を安定した状態で確実に且つ防振効果・制振効果を有した状態で抱持支持することができ、更に、簡易な構成によって現場での作業性も良好である。
【００２０】
更に、配管支持具への配管の挿通は、可撓性を有する金属板の撓み性を利用することによって第１櫛歯状部の先端側である配管抱持部の開放側から該配管抱持部を押し開くようにして配管を圧入することにより抱持支持させることができる。従って、配管の端部から配管支持具を挿通し、該配管支持具を配管支持位置まで位置移動させる等の手間が不要である。
また、種々の配管を抱持支持する配管抱持部に併設して小径配管・配線収納支持部が設けられているので、小径配管や配線類をまとめた状態で収納支持することができる。
【００２１】
請求項２に示す発明によれば、小径配管・配線収納支持部に収納した小径配管や配線類を安定した状態で収納支持することができる。
【００２２】
請求項３又は４に示す発明によれば、小径配管・配線収納支持部に収納した小径配管や配線類をより安定した状態で収納支持することができる。
【００２３】
請求項５に示す発明によれば、ボルト・ナット螺合等によって極めて容易に取付面に取付固定することができる。
【００２４】
請求項６に示す発明によれば、２本以上の配管を並列状態で抱持支持することができる。
【００２５】
請求項７に示す発明によれば、配管抱持部が配管を抱え込んだ状態で抱持するので、より安定した抱持支持となる。
【００２６】
請求項８に示す発明によれば、配管軸に直交する方向への配管の位置ズレをより防ぐことができる。
【図面の簡単な説明】
【００２７】
【図１】本発明に係る配管支持具の実施例を示す５面図（正面図、平面図、底面図、左側面図、右側面図）
【図２】図１に示す配管支持具の使用状態の一例を示す概略正面図（配管軸方向から見た図）
【図３】図２の概略平面図（配管軸に直交し、取付面に正対する方向から見た図）
【図４】第２櫛歯状部の他の実施例を示す部分正面図
【図５】第２櫛歯状部の更に他の実施例を示す部分正面図
【図６】第２櫛歯状部の更に他の実施例を示す部分正面図
【図７】第２櫛歯状部の更に他の実施例を示す部分正面図
【図８】第２櫛歯状部の更に他の実施例を示す部分正面図
【図９】本発明に係る配管支持具の他の実施例を示す正面図
【図１０】本発明に係る配管支持具の更に他の実施例を示す正面図
【図１１】本発明に係る配管支持具の更に他の実施例を示す正面図
【発明を実施するための形態】
【００２８】
次に、添付の図面に従って本発明を詳細に説明する。
【００２９】
本発明に係る配管支持具は、１本又は２本以上のガス管・給水管・給湯管・回線保護管等の配管類を防振効果・制振効果を有した状態で抱持し、天井面・壁面・床面等の取付面に沿って支持固定するものである。
【００３０】
固定支持する種々の配管としては、従来一般的であった鋼管に代わって近年多く用いられるようになった合成樹脂管（ポリエチレン管、架橋ポリエチレン管、ポリブデン管、塩化ビニル管、プロピレン管、ＡＢＳ管等）の固定支持に本発明は特に有効である。尚、本発明は合成樹脂管の固定支持に特に有効であるが、従来の鋼管の固定支持も可能であり、固定支持する配管として鋼管を排除するものではない。
【００３１】
本発明の配管支持具の具体的構成としては、図１〜図３に示す実施例によれば、
天井面・壁面・床面の如き取付面２（本実施例では床面の場合を示す。）に沿って２本の配管Ｐ・Ｐを抱持固定する配管支持具１において、
配管支持具１を構成する板状材が可撓性を有する一枚の金属板から成り、配管軸に直交する方向の一方の端部から他方の端部に向けて該板状材の途中位置まで平行の１本の切込み部により２枚の櫛歯状部１１・１２を有する櫛状に形成され、
前記１本の切込み部で分けられた一方側部分である第１櫛歯状部１１が、２連の円弧状に切り起こされて２つの配管抱持部２１Ａ・２１Ｂと成り、
前記１本の切込み部で分けられた他方側部分である第２櫛歯状部１２の一方の端部が立設状態に折り曲げられ、この立設部分１２Ｄと前記配管抱持部２１Ｂとの間に生じる空間である小径配管・配線収納支持部２２に小径配管や配線類Ｐｌが収納支持される構成であり、
前記板状材の他方の端部側の切込み部の無い部分である櫛歯元部１０が前記取付面２に取付固定される構成であり、
配管軸方向から見て、前記配管抱持部２１Ａ・２１Ｂと第２櫛歯状部１２との間に配管Ｐが挿通されて該配管抱持部２１Ａ・２１Ｂと第２櫛歯状部１２との間に配管Ｐが挟着された状態で抱持支持される構成であること、
を主構成とするものである。
【００３２】
以下、本発明の構成について更に詳説する。
【００３３】
本発明の配管支持具１は、この種の配管支持具に用いられる可撓性を有する金属板として公知公用のものを特別の制限なく用いることができ、好ましくはステンレスやその他の金属製である。
【００３４】
可撓性を有する一枚の金属板に対して切込み部を形成すると共に切り起こすに際して、第１櫛歯状部１１を切起して配管抱持部２１Ａ・２１Ｂを形成するための切起し部は、本実施例では線状を有する切起し線となっているが、第１櫛歯状部１１と第２櫛歯状部１２との間が線状ではなく溝状に間隔を設けて切り起こされる構成であってもよい。なお、該溝は同一巾である必要はない。
【００３５】
第１櫛歯状部１１、第２櫛歯状部１２の幅は、本実施例では等しい幅に形成しているが、第１櫛歯状部１１の幅を広くしてもよいし、第２櫛歯状部１２の幅を広くしてもよい。
【００３６】
また抱持する配管Ｐの本数は、本実施例では２本であるが、１本又は３本以上であってもよく、抱持する配管Ｐの本数に応じて、更には抱持する配管Ｐの直径に応じて配管抱持部の形状は、円弧状、半円状、Ω状、アーチ状のいずれかの形状に形成される。更に、円弧状や半円状の場合であって２本以上の配管を抱持する場合、本実施例のように２本の配管Ｐ・Ｐを抱持する配管抱持部２１が連設された状態、即ち、２１Ａと２１Ｂのように連設した状態とすることによって同時に２本を抱持する構成であることが配管支持作業の効率化や製造コスト等の点で好ましい。
【００３７】
更に、配管抱持部２１Ａ・２１Ｂによる配管Ｐ・Ｐの抱持範囲が、抱持する配管Ｐの半径を超える範囲であること、即ち、第１櫛歯状部１１の先端側の配管抱持部２１Ｂの先端部分１１Ａが、配管Ｐの半径を超えて取付面２に近接乃至は当接する部分まで延びている構成が好ましい。かかる構成によれば、配管抱持部２１Ｂが配管Ｐを抱え込んだ状態で抱持するので、より安定した抱持支持となる（図示せず。）。
【００３８】
取付面２への櫛歯元部１０の取付固定は、図２及び図３に示す本実施例では、櫛歯元部１０に形成されている透孔１０Ａ・１０Ａ・１０Ａ・１０Ａに、取付面２に配設されている固定部材であるボルト３が挿通されるように取付面２に配管支持具１を取付けた後、ナット４を螺合緊締することにより行われる。尚、透孔１０Ａの位置や数は取付面２の形状や設計条件等に応じて適宜変更することができる。尚、本実施例では、ボルト３・ナット４により取付固定したが、本発明はかかる構成に限定されず、例えば、取付面２に雌ネジ穴が形成され、該雌ネジ穴に前記透孔１０Ａ・１０Ａ・１０Ａ・１０Ａに挿通したボルトを螺合緊締する等、公知公用の他の取付固定手段を採ることができる。
【００３９】
第２櫛歯状部１２の一方の端部を折り曲げて立設部分１２Ｄを設けることにより生じる空間である小径配管・配線収納支持部２２は、図１及び図２に示す本実施例では、該立設部分１２Ｄを第２櫛歯状部１２に対して略直角に鋭角に折り曲げられた構成となっている。かかる構成によれば、小径配管・配線収納支持部２２に収納した小径配管・配線類Ｐｌを安定した状態で収納支持することができる。
【００４０】
以上、本発明に係る配管支持具の実施例について説明したが、本発明は上記構成に限定されず、本発明の範囲内において種々の態様を採ることができる。
【００４１】
例えば、図１及び図２に示す上記実施例では、小径配管・配線収納支持部２２を形成する立設部分１２Ｄは、図１及び図２に示す実施例では取付面２に沿う第２櫛歯状部１２に対して略直角に折り曲げられた構成であるが、図４に示すように第２櫛歯状部１２の先端部分１２Ｄを配管抱持部２１Ｂ側に傾くように僅かに鋭角に折り曲げられた構成としてもよい。かかる構成によれば、略直角に折り曲げられた構成に比して安定した状態で小径配管・配線Ｐｌを収納支持することができる。僅かに鋭角に立設する立設部分１２Ｄの角度は、好ましくは４５度〜８８度、より好ましくは６０度〜８５度である。
【００４２】
更に、立設部分１２Ｄは、図５に示すように配管抱持部２１Ｂ側に傾くように彎曲して折り曲げられた構成としてもよい。かかる構成によれば、小径配管・配線収納支持部２２に収納した小径配管・配線Ｐｌをより安定した状態で収納支持することができる。
【００４３】
更に、立設部分１２Ｄは、図６や図７に示すように立設部分１２Ｄの途中部分から先が配管抱持部２１Ｂ側に更に折り曲げられた構成、即ち複数段で折り曲げられた構成としてもよい。かかる構成によれば、小径配管・配線収納支持部２２に収納した小径配管・配線Ｐｌをより安定した状態で収納支持することができる。
【００４４】
更にまた、第２櫛歯状部１２と立設部分１２Ｄとの折曲角部は、上記した図１、図２、図４、図５、図６、図７に示す各実施例のように折曲角部に角丸（角Ｒ）が形成された状態で折り曲げた構成としてもよいし、図８に示すように角丸（角Ｒ）を設けることなく折り曲げた構成としてもよい。
【００４５】
また、前述したように抱持する配管Ｐの本数は２本に限定されず、１本又は３本以上であってもよい。例えば、図９に示す実施例では３本の配管Ｐ・Ｐ・Ｐをアーチ状の配管抱持部２１によって抱持する構成であり、図１０に示す実施例では１本の配管ＰをΩ状の配管抱持部２１によって抱持する構成である。
【００４６】
更に、図１１に示す実施例のように、第２櫛歯状部１２の少なくとも一部に隆起部１２Ｂ・１２Ｃを形成し、隆起部１２Ｂが配管抱持部２１Ａに抱持する配管Ｐの外周面であって且つ前記一方の端部側の少なくとも一部に当接し、隆起部１２Ｃが配管抱持部２１Ｂに抱持する配管Ｐの外周面であって且つ前記一方の端部側の少なくとも一部に当接する構成としてもよい。かかる構成によれば、配管軸に直交する方向（図１１において特に右方向）への配管Ｐ・Ｐの位置ズレをより防ぐことができる。
【符号の説明】
【００４７】
１  配管支持具
１０  櫛歯元部
１０Ａ  透孔
１１  第１櫛歯状部
１１Ａ  先端部分
１２  第２櫛歯状部
１２Ｂ  隆起部
１２Ｃ  隆起部
１２Ｄ  立設部分
２  取付面
２１  配管抱持部
２１Ａ  配管抱持部
２１Ｂ  配管抱持部
２２  小径配管・配線収納支持部
３  ボルト
４  ナット
Ｐ  配管
Ｐｌ  小径配管・配線
【図１】
2020193684.tif 000003
【図２】
2020193684.tif 000004
【図３】
2020193684.tif 000005
【図４】
2020193684.tif 000006
【図５】
2020193684.tif 000007
【図６】
2020193684.tif 000008
【図７】
2020193684.tif 000009
【図８】
2020193684.tif 000010
【図９】
2020193684.tif 000011
【図１０】
2020193684.tif 000012
【図１１】
2020193684.tif 000013